(57)【要約】【課題】構造が簡単で製作費が安く、レイアウト変更にも容易に対応することができる表示装置を提供する。【解決手段】表示シート２の背面側に配置される透明押さえ板３の背面の所定位置に発光表示部２９Ａを接着した構成とする。発光表示部２９Ａは、ＬＥＤ１０が実装されたＬＥＤプリント基板１１と、ＬＥＤ１０を取り囲む遮光筒９と、遮光筒９の前端開口部を塞ぐように配置される透明カバー６と、所定形状の光透過部８が形成された、透明カバー６の背面に配置される遮光シート７と、この透明カバー６の前方に配置される、反復した剥離が自在で且つ透光性を有する両面接着シート５とから構成され、透明カバー６の係合片６Ａが遮光筒９の係合突起９Ａに着脱自在に係合している。【選択図】    図１
2005189442.tif 000002
【特許請求の範囲】
【請求項１】
複数の区画域が図形化されて描かれた表示シートの前記各区画域の背面側に、所定形状の光透過部が形成された遮光シートと、内部に光源が配置された遮光筒を備えた発光表示部とを配置し、前記光源の投射光を前記遮光シートに投射することで、前記所定形状の光透過表示を前記表示シートの前記各区画域に投影する表示装置であって、
前記遮光シートが前記遮光筒の投影側前端部に、差し替え可能に支持されていることを特徴とする表示装置。
【請求項２】
前記遮光シートは透明カバーに接着され、該透明カバーと前記遮光筒とが係合手段により着脱可能に係合されることを特徴とする請求項１記載の表示装置。
【請求項３】
前記係合手段は、前記透明カバーの周縁に形成された係合片と、前記遮光筒の外壁に形成されて前記係合片と係合する係合突起とで構成されることを特徴とする請求項２記載の表示装置。
【請求項４】
前記係合手段は、前記透明カバーの周縁に突設した係合突起と、前記遮光筒の内壁に形成されて前記係合突起と係合する係合溝とで構成されることを特徴とする請求項２記載の表示装置。
【請求項５】
前記表示シートの背面に透明押さえ板が配置され、
前記透明カバー若しくは前記遮光筒と、前記透明押さえ板とが両面接着シートを介して位置移動可能に接着されることを特徴とする請求項１乃至４のいずれか一項に記載の表示装置。
【請求項６】
前記表示シートの背面に透明押さえ板が配置され、
前記遮光シートは、前記遮光筒と、透明性を有する両面接着シートの背面側との間に接着により支持され、前記両面接着シートの前面側は、前記透明押さえ板の背面に接着されることを特徴とする請求項１記載の表示装置。
【発明の詳細な説明】
【技術分野】
【０００１】
本発明は表示装置に関し、さらに詳しくは、例えば火災等の発生位置情報等を図形化して表示する防災用の表示装置に関する。
【背景技術】
【０００２】
一般に、多層建築物等では、火災時の警戒の報知機能と、防火設備の制御機能との複合的な機能を有する複合受信機が集中管理室に設置されている。この複合受信機は、全階層に亘る警戒制御領域（管理領域）内に配置された複数の感知器や防火戸等の端末機器群が信号回線で接続されている。そして、この複合受信機は感知器の感知動作に即応して、火災の発生を全警戒制御領域内に報知すると共に、防火戸等の端末機器が動作するように制御を行って、人命の喪失や大災害の発生を未然に防止するようになっている。上述の複合受信機に入力された感知（検出）データに基づいて、火災発生等の状況を目視により確認する手段として表示装置がある。
【０００３】
従来、この種の表示装置としては、図８〜図１０に示すように、警戒制御領域を地図もしくは略図として表示し、この地図もしくは略図を、地区、部屋、廊下等に区画して、区画域毎に、状況を図形化した画像を表示するものが知られている（例えば、特許文献１参照）。なお、図８は従来の表示装置１００の正面図、図９は表示装置１００の分解斜視図、図１０は表示装置１００の要部断面図である。
【０００４】
図８に示すように、表示装置１００は、表側から目視することにより、例えば、事務室、会議室等の位置関係を示す間仕切り図（略図）１１０のそれぞれの区画域に、例えば炎形状の図形が火災状態の発生の有無に応じて点灯、表示されるようになっている。
【０００５】
表示装置１００は、図９に示すように、前面側から順に、２枚の透明板１０１、１０３と、遮光隔壁１０４と、この遮光隔壁１０４内に配置される、ランプ１０６を備えたランプソケット１０７と、このランプソケット１０７が保持されるランプソケット保持板１０５とを備えて構成されている。
【０００６】
図８〜図１０に示すように、透明板１０１の裏面には、区画域を示す領域に遮光塗料１０２が所定形状の領域を除いた領域に塗布されている。また、透明板１０１の裏面に塗布された遮光塗料１０２が塗布されていない所定形状の領域には半透明塗料１０９が塗布されている。透明板１０３の裏面側には、各区画域に対応するように、遮光隔壁１０４が設けられている。さらに、透明板１０１は、切削加工ができる程度の厚さを有するアクリル樹脂板で形成されている。そして、この透明板１０１には、所定箇所に切削加工が施されている。
【０００７】
透明板１０１には、図８に示すように、建物の内部を平面的に間仕切りした間仕切り図が裏面から描かれ、間仕切り図１１０内に表示図形や文字１１１等が表示されている。表示図形や文字１１１は、輪郭に沿って上述したような切削加工がなされて形成され、彫られた切削溝に異なる色の塗料が塗り込まれている。上述したように、間仕切り図１１０の平面部には遮光塗料１０２が塗り込まれ、所定形状の領域である表示図形には半透明塗装１０９が塗布されて、一定の区画域（警戒区域）が色分けして表示されている。
【０００８】
これら区画域（警戒区域）を区画する遮光隔壁１０４は、間仕切り図１１０内の区画線の直線に対応した長さの板に切断・加工されて一方の端縁が透明板１０１の背面側に直角方向に連続させながら１枚づつ接着されている。そしてランプソケット１０７を介してランプソケット保持板１０５に取付られたランプ１０６の光が遮光隔壁１０４の内部を照らして、この遮光隔壁１０４により区域外には光が洩れないようになっている。
【０００９】
このような従来の表示装置１００では、例えば、表示図形に対応する警戒区域に配置された端末機器が動作した場合は、遮光隔壁１０４内のランプ１０６が点灯するようになっている。点灯した警戒区域のランプ１０６の光は、透明板１０３を介して警戒区域に対応する透明板１０１の領域が背面から照射される。他の区画域においても、同様な点灯表示が行われる。この結果、半透明塗料１０９が塗布された表示図形だけが明るく照らし出されて、区画域内における警報の発信箇所であることを目視により判断できるようになっている。特に、この従来の表示装置１００では、ランプ１０６による光量が大きく極めて視認性が良好である。
【００１０】
他の従来技術としては、上述した従来の表示装置における光源の投影像と投影対象とのズレを補償する改良を施した技術が知られている（例えば、特許文献２参照）。
【特許文献１】特許第２９２０７５７号公報（第１頁、図８）
【特許文献２】特許第３０３０７７４号公報（第３〜４頁、図１）
【発明の開示】
【発明が解決しようとする課題】
【００１１】
しかしながら、図８〜図１０に示した従来の表示装置１００では、以下に説明するような課題がある。
【００１２】
（イ）従来の表示装置１００では、透明板１０１に警戒区域（区画域）の番号を示す表示図形や文字１１１等の切削加工を施して遮光塗料１０２や、半透明塗料１０９を塗って表示文字や表示図形、地色を色付けしているため、製作に手間と時間が掛かりコストが高くなる。
【００１３】
（ロ）従来の表示装置１００では、遮光隔壁１０４を間仕切り図１１０と同じ形状に切断・加工して透明板１０３の裏面に一枚づつ連続的に接着しているので、作業工数が増えてコストが一層高くなる。
【００１４】
（ハ）従来の表示装置１００で最も問題になることは、建築物の利用者により規模の大小に拘わらず慣例的に行われるレイアウト変更ならびに表示図形変更に対する対応策である。すなわち、小規模なレイアウト変更、表示形状変更を行った場合でも、透明板１０１は全面変更で交換が必要になる。さらに、大規模なレイアウト変更による表示位置変更を行った場合は、透明板１０１の全面交換の他に遮光隔壁１０４及びランプソケット保持板１０５の改造が必要になる。
【００１５】
以上のように、従来の表示装置１００は、製作費や維持・管理費がかさむためにコスト高になり、且つレイアウト変更が大がかりなものになるという課題をもつものであった。
【００１６】
本発明は、このような従来の表示装置の課題を解消するためになされたもので、製作費や維持・管理費を抑えてコスト低減を図ることができ、且つレイアウト変更にも容易に対応することができる表示装置を提供することを目的とする。
【課題を解決するための手段】
【００１７】
上記目的を達成するため、本発明は、警戒領域を区画した複数の区画域が図形化されて描かれた表示シートの前記各区画域の背面側に、所定形状の光透過部が形成された遮光シートと、内部に光源が配置された遮光筒を備えた発光表示部とを配置し、前記光源の投射光を前記遮光シートに投射することで、前記所定形状の光透過表示を前記表示シートの前記各区画域に投影する表示装置であって、前記遮光シートが前記遮光筒の投影側前端部に、差し替え可能に支持されていることを特徴とする。
【発明の効果】
【００１８】
本発明によれば、所定形状の光透過部が形成された遮光シートを遮光筒の投影側前端部に差し替え可能に支持しているため、遮光シートを交換するだけで表示図形を変えることができる。したがって、小規模なレイアウト変更や表示形状の変更において表示シートを全面変更する必要がない。また、光源を遮光筒の内部に配置しているため、各区画域ごとの遮光隔壁やランプソケット保持板が不要となる。したがって、大規模なレイアウト変更においても、表示シートと遮光シートの変更のみで対応することができる。
【００１９】
また、表示図形となる光透過部は、遮光シートをパンチ等で打ち抜いたり、カッタでカットする等により製作できるため、表示シートに表示図形を切削加工等により形成する従来例に比べて製作が簡単なものとなる。加えて、上述したように、光源を遮光筒の内部に配置しているため、表示シートの裏面に各区画域に合わせて遮光隔壁を接着する必要がなく、作業工数を減らすことができる。
【００２０】
すなわち、本発明は、従来例に比べてレイアウト変更にも容易に対応することができる。また、構造が簡単なものとなるため、製作費や維持・管理費を抑えて、コスト低減を図ることできる。
【発明を実施するための最良の形態】
【００２１】
以下、本発明に係わる表示装置を実施するための最良の形態について詳細に説明する。但し、以下の実施例に示す図面は模式的なものであり、各部材の寸法の比率等は現実のものとは異なる。
【実施例１】
【００２２】
実施例１に係る表示装置の構成を図１〜図３を用いて説明する。なお、図１は実施例１に係る表示装置の分解斜視図、図２は表示装置の正面図、図３は表示装置の要部断面図である。
【００２３】
先ず、本実施例に係る表示装置３０Ａの構成の説明をする前に、表示面で表示される画像の概略構成について説明する。図２に示すように、表示装置３０Ａの表示部正面には、建物全体を全警戒制御領域（管理領域）として各階毎の一定の警戒区域を建築物に合わせて図形化した図形が表示されている。なお、図２における符号２５で示すものは、警戒制御領域を区画する区画線である。この区画線２５は、各警戒区域２８を区画している。
【００２４】
また、各警戒区域２８内に表示された数字は、地区番号２６を示している。そして、各警戒区域２８内に表示された文字２７は、部屋の名称、用途や防火設備等の場所名を表示している。なお、図２では、警戒区域２８が４箇所の場合を示している。
【００２５】
次に、表示装置３０Ａの構成について説明する。図１に示すように、表示装置３０Ａは、最も前面側（目視方向側）に位置する窓板１と、窓板１の背面側に配置された表示シート２と、この表示シート２の背面側に配置される透明押さえ板３と、光源支持部材としての支持板４とを備えている。そして、透明押さえ板３と支持板４との間には、後述する発光表示部２９Ａが配置されている。
【００２６】
窓板１は、比較的厚みのある矩形状の透明な板であり、この表示装置３０Ａの最前部の表示面となり、目視に適した大きさに設定されている。この窓板１の構成材料は、例えばアクリル樹脂等の各種の透明性を有する樹脂や、耐久性を有するガラス等の透明材料を用いることができる。
【００２７】
表示シート２は、上記した窓板１と略同一の大きさの矩形状に形成されている。この表示シート２としては、例えばマイラーフィルムのような樹脂からなる半透明フイルムを用いることができる。そして、この表示シート２には、各警戒区域２８を区画する区画線２８、地区番号２６、場所名２７等の線、図形、文字等が適宜印刷されている。この印刷は、プリンタを用いてカラープリントが施されている。
【００２８】
透明押さえ板３は、窓板１や表示シート２と略同一の大きさであり、後述する発光表示部２９Ａを保持するために用いられる。
【００２９】
発光表示部２９Ａは、光源となるＬＥＤ１０が実装されたＬＥＤプリント基板１１と、ＬＥＤ１０を取り囲む遮光筒９と、遮光筒９の前端開口部を塞ぐように配置される透明カバー６と、所定形状の光透過部８が形成された、透明カバー６の前方に配置される遮光シート（画像投影用フィルム）７と、この透明カバー６の背面に配置される、反復した剥離が自在で且つ透光性を有する両面接着シート５とから構成されている。
【００３０】
遮光シート７は、不透明シートで構成され、部分的に所定形状の光透過部８が形成されている。ここで、光源の光漏れ防止のために、両面接着シート５、遮光シート７及び透明カバー６の外径寸法は、遮光筒９の内径寸法より大きいことが必要である。遮光シート７は、不透明シート素材で構成する場合は、光透過部８をパンチ等で打ち抜く方法、カッタでカットする方法等で製作することができる。また、光透過部８となる部分に不透明処理を施した透明シートを用いて遮光シート７を製作してもよい。本実施例では、図２に示すように、表示形状２１、２２は炎マーク、表示形状２３は星形、表示形状２４は四角形に表示されているが、図示の例に限らず、それぞれの表示形状に対応した形状の光透過部８を遮光シート７に形成することができる。
【００３１】
また、透明カバー６の両側には、背面方向に向けて一対の係合片（係合穴）６Ａが設けられている。一方、遮光筒９の前端部近傍の周面には、上記一対の係合片６Ａ、６Ａがそれぞれ係合する係合突起９Ａが形成されている。このため、図３に示すように、遮光シート７を、透明カバー６と遮光筒９の前端部との間に配置した状態で、係合片６Ａと係合突起９Ａとを係合させることにより、遮光筒９の投影側前端部に支持することができる。また、係合片６Ａと係合突起９Ａとの係合を解除することにより、遮光シート７を取り外すことができる。すなわち、遮光シート７は遮光筒９の投影側前端部に差し替え可能に支持されている。このように、発光表示部２９Ａでは、遮光シート７の交換が容易であり、例えば、光透過部８の形状が異なる他の遮光シートに交換することが容易になっている。
【００３２】
また、遮光筒９の後端部には、ＬＥＤプリント基板１１を保持する保持片９Ｂが形成されている。このため、遮光筒９、遮光シート７、透明カバー６は、組み付けにより一体化するようになっている。なお、遮光シート７は、透明カバー６の前面側に接着してもよい。
【００３３】
このような構成の表示装置３０Ａを組み立てる場合は、図１に矢印で示す目視方向より、順に窓板１、表示シート２、透明押さえ板３が配置され、表示シート２に透視可能に形成された、建築物に合わせて図形化した図形の地区番号２６の位置に合わせて、両面接着シート５を透明押さえ板３の対応位置に剥離自在に接着することにより、発光表示部２９Ａを固定することができる。
【００３４】
また、ＬＥＤ１０としては、スポット状の光を投射する強指向性タイプのものが選択される。そして、ＬＥＤプリント基板１１にリード線１２と共に半田付けされ、遮光筒９に挿入されたときに、遮光筒９の後端部に形成された保持片９Ｂと嵌め合うことで結合される。
【００３５】
次いで、光源の接着状態を維持させたり、外力による脱落を防止するためにスポンジ状等でなる支持板４を背面側に配置する。
【００３６】
このようにして組み立てられた表示装置３０Ａは、表示信号に基づいてＬＥＤ１０が点灯する。例えば図２に示す会議室の表示信号の場合、警戒区域２８の背面のＬＥＤ１０が点灯する。点灯したＬＥＤ１０の投射光は、遮光シート７を介して表示形状２１の炎マークを表示シート２にプリントされた地区番号２６の周囲をスポット投射して、その投影像が背面から窓板１に投射される。そして、表示シート２に色表示された警戒区域２８と地区番号２６により警戒場所を容易に目視することができる。
【００３７】
一般に、建物内部の床面上に配置されている什器・備品類のレイアウト変更は、建物の利用者により日常的に行われている。本実施例では、建築物の内部レイアウトの変更があった場合、及び表示形状を変更する場合に、次のようにして変更を速やかに行うことができる。
【００３８】
すなわち、支持板４を取り外し、表示シート２を新しいレイアウトの表示シート２に交換する。さらに、レイアウト変更により位置移動がある発光表示部２９Ａの遮光筒９、透明カバー６をまとめて両面接着シート５より取り外す。さらに、透明押さえ板３に残った両面接着シート５を取り外し、新しいレイアウトに合わせた位置に接着し直し、そこに透明カバー６、遮光筒９を取り付ける。
【００３９】
また、表示形状を変更する場合には、変更する遮光シート７が接着された透明カバー６と遮光筒９との係合状態を解除し（このとき、透明カバー６は透明押さえ板３側に残っている）、新しい遮光シート７に交換し、遮光筒９と透明カバー６とを再度係合させればよい。
【００４０】
次に、ＬＥＤ１０を点灯させて表示シート２の位置調整した後、支持板４を発光表示部２９Ａを背面から押さえるように配置することで、変更作業が終了する。なお、レイアウト変更がＬＥＤ１０の位置に影響を与えないときは、両面接着シート５の移動を行う必要はない。
【００４１】
上述した実施例１に係る表示装置３０Ａでは、小規模なレイアウト変更や表示形状の変更については、表示シート２を全面変更することなしに対応することができる。また、大規模なレイアウト変更においも、表示シート２と遮光シート７の変更のみで対応することができる。また、表示図形となる光透過部８は、遮光シート７をパンチ等で打ち抜いたり、カッタでカットする等により製作できるため、従来例のように透明板に表示図形を切削加工等により形成する場合に比べて製作が簡単なものとなる。加えて、光源となるＬＥＤ１０を遮光筒９の内部に配置しているため、従来例のように透明板の裏面に各区画域に合わせて遮光隔壁を接着する必要がなく、作業工数を減らすことができる。
【００４２】
このように、実施例１に係わる表示装置３０Ａでは、レイアウト変更に容易に対応することができるのに加えて、構造が簡単なものとなるため、製作費や維持・管理費を抑えて、コスト低減を図ることできる。
【実施例２】
【００４３】
次に、実施例２に係る表示装置の構成を図４及び図５を用いて説明する。なお、図４は実施例２に係る表示装置の分解斜視図、図５は表示装置の要部断面図である。また、本実施例においては、上述の実施例１と同一部分には、同一の符号を付して適宜に説明を省略する。
【００４４】
本実施例に係る表示装置３０Ｂは、発光表示部２９Ｂの透明カバー６と遮光筒９との係合手段が実施例１の表示装置３０Ａと異なると共に、遮光シート７が透明カバー６よりも前側（目視側）に位置する点で異なる（実施例１は透明カバー６と遮光筒９の間）。なお、本実施例に係る表示装置３０Ｂの他の構成は、実施例１に係る表示装置３０Ａと同様である。
【００４５】
本実施例では、円形の透明カバー６の両側に、外側方向に突出する、一対の係合突起６Ｂが形成されている。一方、遮光筒９の前端部近傍の内壁には、図５に示すように、係合突起６Ｂが入り込む係合溝９Ｃ（図４では図示せず）が形成されている。
【００４６】
本実施例では、組み立ての際に、遮光シート７は、透明カバー６の目視側に接着される。図５に示すように、遮光筒９の前端部は、表示シート２にプリントされた図形の地区番号２６（図２参照）の位置に合わせて両面接着シート５で剥離自在に接着されている。
【００４７】
そして、本実施例において、レイアウト変更、及び表示形状を変更する場合には、次のようにして変更を速やかにすることができ、上記した実施例１より更に簡便に交換できる。
【００４８】
すなわち、支持板４を取り外し、表示シート２を新しいレイアウトの表示シート２に交換する。次に、レイアウト変更により位置移動がある発光表示部２９Ｂの遮光筒９を両面接着シート５より取り外すと共に、両面接着シート５も取り外し、新しいレイアウトに合わせた位置に接着し直し、そこに遮光筒９を取り付ける。ここで、両面接着シート５は、反復した剥離が自在な素材を使用する。
【００４９】
また、表示形状を変更する場合には、変更する発光表示部２９Ｂの遮光筒９を両面接着シート５より取り外すと共に、遮光シート７が接着された透明カバー６と遮光筒９との係合を解除し、透明カバー６に接着されている古い遮光シート７を剥がし、新しい遮光シート７を接着する。そして、遮光シート７が交換された透明カバー６を遮光筒９とを再度係合させる。
【００５０】
次に、ＬＥＤ１０を点灯させ表示シート２の位置を調整した後、支持板４を取り付けて変更作業が終了する。なお、レイアウト変更がＬＥＤ１０の位置に影響を与えないときは、両面接着シート５の移動を行う必要はない。
【００５１】
上述した実施例２に係る表示装置３０Ｂにおいても、レイアウト変更に容易に対応することができ、また製作費や維持・管理費を抑えてコスト低減を図ることができる。とくに、本実施例に係る表示装置３０Ｂは、実施例１に比べてより構造が簡単なので製作費を安く抑えることができる。
【実施例３】
【００５２】
次に、実施例３に係る表示装置の構成を図６及び図７を用いて説明する。なお、図６は表示装置の分解斜視図、図７は表示装置の要部断面図である。また、本実施例においては、上述の実施例１、２と同一部分には、同一の符号を付して適宜に説明を省略する。
【００５３】
本実施例に係る表示装置３０Ｃは、発光表示部２９Ｃの遮光シート７における固定手段が上述した実施例１に係る表示装置３０Ａと異なり、これにより透明カバー６が不要となっている。このため組立の際、遮光シート７は、表示シート２にプリントされた図形の地区番号２６（図２参照）の位置に合わせて接着された両面接着シート５の光源側に接着され、さらに遮光筒９にも剥離自在に接着される。なお、光源であるＬＥＤ１０の光漏れ防止のため、遮光シート７の外径寸法は遮光筒９の内径寸法より大きく設定されている。また、遮光シート７の外径寸法は、遮光筒９外径寸法より小さいことが必要で、この寸法差は両面接着シート５に充分接着できる接着面積を稼ぐために必要となる。
【００５４】
また、レイアウト変更、及び表示形状を変更する場合には、次のようにして変更を速やかにすることができ、上述の実施例１より更に簡便に交換できる。
【００５５】
先ず、支持板４を取り外し、表示シート２を新しいレイアウトの表示シート２に交換する。次に、レイアウト変更により位置移動がある発光表示部２９Ｃの遮光筒９を両面接着シート５より取り外すと共に、遮光シート７を接着したまま両面接着シート５も取り外し、新しいレイアウトに合わせた位置に接着して遮光筒９を取り付ける。
【００５６】
また、表示形状を変更する場合には、変更する発光表示部２９Ｃの遮光筒９を遮光シート７が付いたまま両面接着シート５から取り外し、新しい遮光シート７に交換、接着し、遮光筒９を再び両面接着シート５に接着する。
【００５７】
次に、ＬＥＤ１０を点灯させ表示シート２の位置調整した後、支持板４を取り付けて変更作業が終了する。なお、レイアウト変更がＬＥＤ１０の位置に影響を与えないときは、両面接着シート５の移動を行う必要はない。
【００５８】
上述した実施例３に係る表示装置３０Ｃにおいても、レイアウト変更に容易に対応することができ、また製作費や維持・管理費を抑えて、コスト低減を図ることができる。とくに、本実施例に係る表示装置３０Ｃは、実施例１及び２に比べてさらに構造が簡単なので製作費をより安く抑えることができる。
【その他の実施例】
【００５９】
上述の実施例１では、透明な窓板１と半透明な表示シート２を組み合わせた例を示したが、透明と半透明の前後関係を逆にしても良く、取付構造や組立順序等も必ずしも実施例に限定されるものではない。
【００６０】
また、上述の第１〜３の実施例では、剥離自在な両面接着シート５、透明カバー６、遮光シート７等を円形とし、窓板１、表示シート２、透明押さえ板３及び支持板４を矩形状としたが、表示を行う図形等に応じて適宜変更が可能であることは言うまでもない。
【００６１】
さらに、表示シート２にプリントされた地区番号２６は、遮光シート７の表示形状として加工されても良く、表示シート２に印刷される方法に限定されるものではない。
【産業上の利用可能性】
【００６２】
本発明は、製造分野、建設分野、安全管理分野等の防災システムで利用することが可能である。
【図面の簡単な説明】
【００６３】
【図１】実施例１に係る表示装置の分解斜視図。
【図２】第１〜３の実施例に係る表示装置の正面図。
【図３】実施例１に係る表示装置の要部断面図。
【図４】実施例２に係る表示装置の分解斜視図。
【図５】実施例２に係る表示装置の要部断面図。
【図６】実施例３に係る表示装置の分解斜視図。
【図７】実施例３に係る表示装置の要部断面図。
【図８】従来の表示装置の正面図。
【図９】従来の表示装置の分解斜視図。
【図１０】従来の表示装置の要部断面図。
【符号の説明】
【００６４】
１…窓板
２…表示シート
３…板
４…支持板
５…両面接着シート
６…透明カバー
６Ａ…係合片
６Ｂ…係合突起
７…遮光シート
８…光透過部
９…遮光筒
９Ａ…係合突起
９Ｂ…保持片
９Ｃ…係合溝
１０…ＬＥＤ
１１…ＬＥＤプリント基板
２９Ａ、２９Ｂ、２９Ｃ…発光表示部
３０Ａ、３０Ｂ、３０Ｃ…表示装置
【図１】
2005189442.tif 000003
【図２】
2005189442.tif 000004
【図３】
2005189442.tif 000005
【図４】
2005189442.tif 000006
【図５】
2005189442.tif 000007
【図６】
2005189442.tif 000008
【図７】
2005189442.tif 000009
【図８】
2005189442.tif 000010
【図９】
2005189442.tif 000011
【図１０】
2005189442.tif 000012